(57)【特許請求の範囲】
【請求項１】
支持部に取付けるための第１の取付け手段（４）を一側側に備え、ハンドル部（７）を他側側に備えたボールジョイント（２）と、前記ハンドル部に設けられ、光学装置をハンドル部に拘束するための第２の取付け手段（１１）と、第１の取付け手段と第２の取付け手段との間での相対的な方向付けを可能にするために前記ハンドル部に設けられた前記ボールジョイント（２）用の可逆ロッキング手段（８）とを具備し、前記ハンドル部（７）は、第１の取付け手段（４）と第２の取付け手段（１１）とを結合させる方向に対して横方向に延びる、一般的に光学および写真装置用の高速方向付けヘッド（１）において、
前記第２の取付け手段（１１）が２つの異なる取付け位置へと動かされ、この動きに関連してハンドル部が右もしくは左に延びるように、対向する位置に第２の取付け手段（１１）を取付けるために、手段（１０ａ、１０ｂ）が、ハンドル部（７）に設けられており、右利きの人と左利きの人との両者によって高速方向付けされ得ることを特徴とする高速方向付けヘッド。
【請求項２】
前記装置用の取付け平面（１３）が、第２の取付け手段（１１）に形成され、前記ハンドル部（７）は、前記取付け平面（１３）から分岐するように傾斜される請求項１に記載の高速方向付けヘッド。
【請求項３】
前記ボールジョイント（２）は、球状部材（３）を有するタイプである請求項１もしくは２に記載の高速方向付けヘッド。
【請求項４】
前記球状部材（３）が解放されているときにその振動を制動する制動手段が、設けられている請求項３に記載の高速方向付けヘッド。
【請求項５】
前記制動手段は、ばね（１５）によって球状部材（３）に作用する加圧部材を有する請求項４に記載の高速方向付けヘッド。
【請求項６】
加圧部材に作用する前記ばね（１５）は、調節可能である請求項５に記載の高速方向付けヘッド。
【請求項７】
前記第２の取付け手段（１１）を取付けるための補助的な手段（１０ｃ）が、ハンドル部の垂直位置での使用を可能にするように、ハンドル部（７）の自由端部（７ａ）に設けられている請求項１乃至６のいずれか１に記載の高速方向付けヘッド。
【請求項８】
前記ボールジョイント（２）を通常はロックされた状態に維持するために、第２のばね（２３）が加圧部材（８）に作用する請求項１乃至７のいずれか１に記載の高速方向付けヘッド。
【請求項９】
写真装置の解放を遠隔制御するための装置が設けられている請求項１乃至８のいずれか１に記載の高速方向付けヘッド。
【請求項１０】
前記装置は、電磁タイプである請求項９に記載の高速方向付けヘッド。
【発明の詳細な説明】
【発明の詳細な説明】
【０００１】
本発明は、主請求項の前段部に述べられた特徴を有するタイプの光学装置、特に写真装置用の高速方向付けヘッドに関する。
【０００２】
これらの特徴を有するヘッドが、米国特許４，９１５，３３３号から公知である。このヘッドは、写真装置用の取付け部が設けられたハンドル部に取付けられたボールソケットジョイント機構が設けられていることから、特に有益である。ボールジョイントは、通常はロックされており、片手のみを使用した時、即ち、片手のみでハンドル部を把持したときでさえも写真装置が高速かつ容易に配置され得るように、ハンドル部に属したレバーに作用することによって解放可能である。
【０００３】
この公知のヘッドの欠点は、装置とボールジョイントおよびヘッドとの間に不便なレバーアーム部を与えるように設計された構造が、重構造物の位置付けにあまり役立たないことである。更に、レバーの動作により、ボールジョイントが、完全にロックされた状態から完全に解放された状態へ移り得るので、その結果、この装置は、突然の振動および衝撃に晒される可能性がある。
【０００４】
本発明が基づいている技術的な問題は、従来技術を参照して述べられた全ての欠点を克服するように構造的かつ機能的に設計された上述のタイプのヘッドを提供することである。
【０００５】
この問題は、請求項に従って製造された高速方向付けヘッドを有する本発明によって解決される。
【０００６】
本発明の特徴および利点は、添付図面を参照しながら非制限的な例を用いて説明される好ましい実施形態の以下の詳細な説明からより明らかになるだろう。
【０００７】
図面では、参照符号１は、本発明に従って製造された高速方向付けヘッドを示している。このヘッド１は、例えば、ねじおよびプレート５を有するタイプの第１の取付け手段４の一端部にねじ結合によって装着された球状部材３を備えたボールジョイント２を有している。ヘッド１は、この取付け手段４によって写真用の三脚などの支持部にしっかりと接合され得る。
【０００８】
前記球状部材３は、ハンドル部７の一端部に規定された座部６内に回転可能に収容されている。カップ形状の加圧部材８が、以下に説明されるように、球状部材をハンドル部に対してロックするために、座部６内に設けられている。
【０００９】
ハンドル部７の、座部６の近くには、例えば高速解放プレート（図示されず）を有するタイプの第２の取付け手段１１をハンドル部に取付けるのに使用された、対向する対をなしたねじ穴１０ａ、１０ｂを有するカラー９が形成されている。図１の切断線ＩＩ−ＩＩによって示されたハンドル部７の軸は、上に取付けられる装置のための一般的な取付け平面として形成された第２の取付け手段の平面１３から分岐するように傾斜されていることに気が付くだろう。これは、ヘッド１を方向付ける動作のためにハンドル部が使用者によって把持されたときに、ハンドル部と上に設けられた光学装置との間の操作のための空間を増すのに役立つ。
【００１０】
第２の取付け手段１１を取付けるための手段として、カラー９に対向した穴１０ａ、１０ｂを設けることにより、この第２の取付け手段が、２つの異なる取付け位置へと動かされ得る。この動きによって、ハンドル部が、右または左にその位置へと動かされ得る。その結果、右利きの人間および左利きの人間両方によるヘッドの高速方向付けが可能にされる。
【００１１】
カラー９に対向したハンドル部７の自由端部７ａには、ハンドル部の軸に対してほぼ平行な軸を有する更なるねじ穴１０ｃが設けられている。このねじ穴１０により、第２の取付け手段１１が、図８に示されているように、垂直に方向付けられたハンドル部７の使用に適した第３の取付け位置へも動かされ得る。
【００１２】
ハンドル部７の自由端部７ａは、カラー９に似た外形を有するように成形されていると好ましい。このように、第２の取付け手段１１は、所定の中間適合部材を介さずに取付け可能である。
【００１３】
加圧部材８は、２重の作用を受ける。第１の作用は、滑動部１８がねじ係合しているねじロッド１７上に適合されたリングナット１６によって調節可能な弾性荷重を有するばね１５によって果たされる。滑動部１８は、その二股部１９のハンドル部７のガイド２０内との係合によって、回転不可能なように案内される。かくして、リングナット１６が回転されると、支柱２１によって加圧部材に伝えられる弾性荷重が変わる。これによって、加圧部材への調節可能だが一定した弾性荷重が与えられる。これは、球状部材が解放されているときにこの振動を制動するのに役立ち、写真装置に損傷を与え得る突然の振動を防止するか制限する。
【００１４】
また、第２のばね２３によって発生され、概して参照符号２４で示されボールジョイントを通常はロックされた状態に保持するリンケージによって加圧部材に与えられる弾性荷重が、加圧部材８に作用する。リンケージ２４は、ボールジョイントを手動で解放するための第１のレバー２５を有する。このレバーは、ハンドル部の枢動点２６で枢動され、ばね２３の作用を受ける。レバー２５は、グラブねじ２８の調節可能な支点と、端部２９と中間部３０との夫々に押し込みおよび抵抗力を与えるポイントとを有する第２のレバー２７に作用する。このレバー２７は、支柱２１用の通路３１によって横断されており、端部２９の位置に付加された金属部材３２を有している。この付加された部材３２は、第１のレバー２５に支点２６から所定距離離間して配置された小さなシリンダ３３によって作用される。かくして、レバー２５が作動されると、ばね２３によって発生される弾性荷重が無効にされて、ボールジョイント２を解放する。
【００１５】
従って、ヘッド１の自由な方向付けが可能にされる。
【００１６】
また、ヘッド１には、このヘッド１に設けられた写真装置の解放を遠隔制御するための装置が設けられ得る。この装置は、電磁タイプであると好ましい。
【００１７】
このように設計された本発明は、従来のヘッドに勝る多数の利点を与える。その利点は、第１および第２の取付け手段の間の距離の実質的な減少と、これによって結果として生じるレバーアーム部の実質的な縮小と、ハンドル部が写真装置の取付け平面に対して傾斜されていることによるハンドル部の小型性および簡易化した接近性のために向上されたヘッドの操作の容易さと、ボールジョイントの摩擦の適用でロックされていないステージにおいてさえも突然の振動に晒されないこととを含む。
【図面の簡単な説明】
【００１８】
【図１】本発明の高速方向付けヘッドの正面図である。
【図２】図１の線ＩＩ−ＩＩに係わる断面図である。
【図３】図１の線ＩＩＩ−ＩＩＩに係わる断面図である。
【図４】図１の線ＩＶ−ＩＶに係わる断面図である。
【図５】図１の線Ｖ−Ｖに係わる断面図である。
【図６】図１の線ＶＩ−ＶＩに係わる断面図である。
【図７】先立つ図面のヘッドの平面図である。
【図８】第２の動作構造にある図１のヘッドの正面図である。
【図１】
0004404895.tif 000002
【図２】
0004404895.tif 000003
【図３】
0004404895.tif 000004
【図４】
0004404895.tif 000005
【図５】
0004404895.tif 000006
【図６】
0004404895.tif 000007
【図７】
0004404895.tif 000008
【図８】
0004404895.tif 000009